(57)【要約】【課題】ＰＡＨＳの曝露指標（バイオマーカー）として、尿中に排泄されるＰＡＨ代謝物（ＰＡＨモノヒドロキシ体）の尿中濃度から個人のＰＡＨ曝露量を推定する。【解決手段】人体に取り込まれたＰＡＨＳが代謝されて尿中に水酸化物のグルクロン酸抱合体又は硫酸抱合体になっていることに着目し、環境汚染物質である多環芳香族炭化水素（polycyclic aromatic  hydrocarbon : PAH）が人の体内に取り込まれ生成した解毒代謝物を酵素を用いてヒドロキシ体に加水分解して定量分析することにより生体指標とした。【選択図】  図１
2005062109.tif 000002
【特許請求の範囲】
【請求項１】
環境汚染物質である多環芳香族炭化水素（polycyclic aromatic hydrocarbon : PAH）が人の体内に取り込まれ生成した解毒代謝物を酵素を用いてヒドロキシ体に分解して定量分析することにより生体指標としたことを特徴とする多環芳香族炭化水素類（ＰＡＨＳ）の人体曝露評価方法。
【請求項２】
人の体内に取り込まれた解毒代謝物が尿中ＰＡＨ代謝物であることを特徴とする請求項１記載のＰＡＨＳ人体曝露評価方法。
【請求項３】
定量分析法が蛍光検出−高速液体クロマトグラフィーであることを特徴とする請求項１又は請求項２記載のＰＡＨＳ人体曝露評価方法。
【請求項４】
尿中ＰＡＨ代謝物を酵素を用いて加水分解してモノヒドロキシ体にし、このモノヒドロキシ−ＰＡＨを固相抽出濃縮した後に溶出した検液を用いて蛍光検出−高速液体クロマトグラフィー（ＨＰＬＣ／ＦＬ）にて定量分析することを特徴とするＰＡＨＳ人体曝露評価方法。
【発明の詳細な説明】
【技術分野】
【０００１】
本発明は、癌や喘息の原因の１つであり、内分泌撹乱作用があるといわれている多環芳香族炭化水素（polycyclic aromatic hydrocarbon : PAH）の生体指標の評価・分析法に関する。
【背景技術】
【０００２】
化石燃料などの有機物の不完全燃焼によって生成する多環芳香族炭化水素類（ＰＡＨＳ）は、癌や喘息などの原因となることが知られ、最近ではそれらの内分泌撹乱作用も疑われている。
ＰＡＨＳは多種多様な発生源を有し、環境中に広く分布することから、ヒトの曝露量は比較的高く、同時に曝露量の推定が困難な化合物である。
ＰＡＨは、その排出源として自動車、特に粉じん排出量の多いディーゼル車の寄与が大きいことが推定されている。
さらにＰＡＨは喫煙によってもその曝露量は増加するなど、ヒトに対する曝露量が極めて高いにもかかわらず、そのリスク評価は十分に行われていない。
最近、ＰＡＨの中に内分泌撹乱作用を呈するものがあることが報告され、ベンゾ［ａ］ピレン（BaP）を含む数種類のＰＡＨについて抗エストロゲン作用などの内分泌撹乱作用の一部が明らかにされつつある。
US  Environmental  Protection  Agency (EPA)では、環境汚染物質として測定すべき項目の中に１６種のＰＡＨ（１６ US EPA PAHS）（図３）をあげ、それらを測定する方法として HPLC（高速液体クロマトグラフィー）または GC/FID（水素炎イオン化検出−ガスクロマトグラフィー）を推奨している。
【０００３】
しかし、環境汚染物質の人体への影響は人による個人差も大きく、大気中の濃度がそのまま人体曝露となるものではない。
また多環芳香族炭化水素の種類が多く、人に対する曝露は定性的に把握できても、定量的に評価できる生体指標がこれまでになかった。
特に、４環以上の多環芳香族炭化水素に至っては、濃度も薄く、定性分析でさえ困難であった。
【０００４】
【非特許文献１】US  EPA, Code  of  Federal  Regulation，Title  40，Part  60， subparts  D，Da，Db，Dc ; Environmental  Protection  Agency : Washington，DC(1997)，p.44
【発明の開示】
【発明が解決しようとする課題】
【０００５】
本発明は、ＰＡＨＳの曝露指標（バイオマーカー）として、尿中に排泄されるＰＡＨ代謝物の尿中濃度から個人のＰＡＨ曝露量を推定することを目的に、ヒト尿中ＰＡＨ代謝物を分析可能な化学物質に変換し、さらに定量が可能な代謝物を抽出することで有用な曝露指標の提供を目的とする。
【課題を解決するための手段】
【０００６】
本発明は、人体に取り込まれたＰＡＨＳが解毒代謝されて尿中に水酸化物のグルクロン酸抱合体あるいは硫酸抱合体になって排泄されていることに着目し、環境汚染物質である多環芳香族炭化水素（polycyclic aromatic  hydrocarbon : PAH）が人の体内に取り込まれ生成した解毒代謝物を酵素を用いてヒドロキシ体に分解して定量分析することにより生体指標としたことを特徴とする。
【０００７】
定量分析方法としては、蛍光検出−高速液体クロマトグラフィーが良い。
ＰＡＨの水酸化体が強い蛍光を有するからである。
【０００８】
尿中ＰＡＨ代謝物の中でも４環以上のものは、２又は３環の化合物に比べて２桁以上も濃度が低く、尿中ＰＡＨ代謝物を酵素を用いて加水分解してモノヒドロキシ体にし、このモノヒドロキシ−ＰＡＨを固相抽出により濃縮した後に溶出し、所定の処理をした検液を用いて蛍光検出−高速液体クロマトグラフィー（ＨＰＬＣ／ＦＬ）にて定量分析するのが良い。
【０００９】
（指標の有用性の確認）
薬物の解毒に大きく関与している酵素チトクロムＰ４５０により、インビトロ（in vitro）で各種ＰＡＨを代謝させたところＰＡＨヒドロキシ体が生成することが明らかになった。
次に、本発明に係る生体指標の有用性を確認する目的で喫煙者と非喫煙者の２群に分けＰＡＨ代謝物濃度を分析比較した結果を図２（表２）に示す（具体的な分析方法は後述する）。
なお、濃度の単位は尿中のクレアチニン値で補正したμ mol/molクレアチニンである。
表中、日本人とは日本在住の日本人を意味し、タイ人とはタイ国に在住のタイ人を意味する。地域差も検討項目にいれたものである。
また、表中、（mean）は平均値を（ＳＤ）は標準偏差値を示し、（range）は最小値を示した人の値と最大値を示した人の値を示し、＊はｔ−検定の結果を示し、下記の意味である。
＊：統計学的に非喫煙者に対して喫煙者が５％の棄却率で有意である。
＊＊：統計学的に非喫煙者に対して喫煙者が１％の棄却率で有意である。
＊＊＊：統計学的に非喫煙者に対して喫煙者が０．１％の棄却率で有意である。
その結果、喫煙者群と非喫煙者群の尿中１−ＯＨＰｙｒ（１−ヒドロキシピレン）濃度及び２−ＯＨＦｌｅ（２−ヒドロキシフルオレン）濃度を比較したところ、喫煙者群で有意に高く、尿中ＰＡＨ代謝物が喫煙によるＰＡＨＳ摂取の指標として有用であることが明らかとなった。
また、在住地による地域差があることも認められた。
【発明の効果】
【００１０】
本発明においては、後述するように尿中のＰＡＨ代謝物を酵素を用いて加水分解したことにより、ヒト尿中のＰＡＨ代謝物として、１−ＯＨＮａｐ（１−ヒドロキシナフタレン）、２−ＯＨＮａｐ（２−ヒドロキシナフタレン）、２−ＯＨＦｌｅ（２−ヒドロキシフルオレン）、２−ＯＨＰｈｅ（２−ヒドロキシフェナントレン）、３−ＯＨＰｈｅ（３−ヒドロキシフェナントレン）、１−ａｎｄ／ｏｒ９−ＯＨＰｈｅ（１−及び／又は９−ヒドロキシフェナントレン）、１−ＯＨＰｙｒ（１−ヒドロキシピレン）を同定できた。
１−ＯＨＰｙｒを除く４環以上のＰＡＨヒドロキシ体は２，３環の化合物と比べて２桁以上濃度が低いことも明らかになった。
今回、喫煙者と非喫煙者との比較を例に、本発明が、ＰＡＨＳ摂取の生体指標（バイオマーカー）として有用であることを確認したように、道路沿いや工場地帯等の環境汚染の違い、飲食等の傾向と各種病気との因果関係等多くの分野での生体指標となることが期待される。
【発明を実施するための最良の形態】
【００１１】
本発明に係る分析手順を以下説明する。
（１）ヒト尿試料（１０ｍＬ）をサンプリングし、１．０Ｍ塩酸を加え、ｐＨ５．０に調節した後、酢酸ナトリウム緩衝液（ｐＨ５．０）を２０ｍＬ加える。
（２）これにβ−グルクロニダーゼ／アリルスルファターゼ溶液（type H−２：Helix pomatia  由来：β−グルクロニダーゼ活性，100,000  units/mL， スルファターゼ活性，5000  units/mL）（Sigma社製）１５μL を加え、恒温水浴中で３７℃、２時間インキュベートする。
グルクロン酸抱合体あるいは硫酸抱合体を酵素にて加水分解するためである。
（３）メタノール５ｍＬ及び水１０ｍＬを通液し前処理をした逆相系固相抽出カートリッジ（Sep-Pack  PlusＣ１８，Waters）に酵素処理した上記尿試料を通液する。
（４）２０％メタノール水溶液１０ｍＬでカートリッジを洗浄し、通気して乾燥させる。
（５）あらかじめn-ヘキサン１００ｍＬで洗浄しておいた順相系固相抽出カートリッジ（Sep-Pack  Plus  Silica，Waters）をＣ１８カートリッジの下に接続し、n-ヘキサン／酢酸エチル（9/1，v/v）２０ｍＬで溶出する。
（６）この溶出液を減圧乾固し、最終的にメタノール（２００μＬ）に溶解して検液とする。
（７）定量のための蛍光検出−高速液体クロマトグラフィー装置は、島津社製HPLCポンプ２台、デガッサー１台、カラムオーブン１台、蛍光検出器１台、システムコントローラー１台、インテグレーター１台から構成され、カラムはDiscovery  RP-Amide  C１６（250×4.6mmi.d.，5  μｍ  Supelco）を用いる。
移動相としてＡ液：アセトニトリル及びＢ液：１０ｍＭリン酸緩衝液（ｐＨ７．０）を用意し、あらかじめＢ液４５％、流速１．０ｍＬ／ｍｉｎ、カラム温度４０℃で１時間流し、カラム平衡化しておく。分析の際のグラジェントプログラムは、０−２０分までＢ液４５％、２０分から３７分までにＢ液６０％まで直線的にＢの割合を増加させ、その後６０分までＢ液６０％一定とする。
また波長切り替えプログラムは、０−１５分（励起波長Ex．２７７ｎｍ、蛍光波長Em．３５５ｎｍ）、１５−２０分（Ex．２７０，Em．３２７）、２０−４０分（Ex．２５６，Em．３７０）、４０−６０分（Ex．２４０，Em．３８７）とする。
（８）このシステムに上記手順に従って処理した検液（２０μＬ）を導入し、得られたクロマトグラフの例を図１（チャート）に示す。
分かりやすくするために、検液(Urine)のクロマトグラフに標準試料（Standard）のクロマトグラフを重ね合わせてある。
なお、縦軸は蛍光強度（Fluorescence intensity）である。
【図面の簡単な説明】
【００１２】
【図１】（グラフ１）尿中代謝物のクロマトグラフを示す。
【図２】（表１）喫煙者と非喫煙者の代謝物比較結果を示す。
【図３】ＰＡＨの構造例を示す。
【図１】
2005062109.tif 000003
【図２】
2005062109.tif 000004
【図３】
2005062109.tif 000005